(57)【要約】【課題】端末にインタフェースユニットの取り付けられた光ケーブルは、建物の壁に設けられた小さな貫通孔を通して配線することができない。ケーブルの長さも限定され余長の処理が煩わしい。【解決手段】送信側インタフェースユニット１と受信側インタフェースユニット１１とを光ケーブルを用いて接続する。送信側インタフェースユニット１は、ＤＶＩコネクタ２と、光ケーブル９の一端に固定された光コネクタを脱着可能に接続するＭＰＯアダプタ１０を有する。ユニット内部には、ドライバインタフェース集積回路３と数個の面発光レーザ４と複数本の光ファイバ７を設ける。受信側は発光ダイオードの代わりにフォトダイオードを有する。その他は送信側と同様の構成である。【選択図】図１
2007178490.tif 000002
【特許請求の範囲】
【請求項１】
送信側インタフェースユニットと受信側インタフェースユニットとを光ケーブルを用いて接続したものであって、
前記送信側インタフェースユニットは、データソースに接続されるデジタルビデオインタフェースコネクタと、光ケーブルの接続端を脱着可能に保持するアダプタを有し、かつ、前記デジタルビデオインタフェースコネクタから入力した高画質画像データを使用して、複数個の面発光レーザを駆動するドライバインタフェース集積回路と、一端が前記複数個の面発光レーザと結合し他端が前記光コネクタと結合する複数本の光ファイバとを備え、
前記受信側インタフェースユニットは、前記光ケーブルの接続端を脱着可能に保持するアダプタと、任意の映像機器に接続されるデジタルビデオインタフェースコネクタとを有し、かつ、複数個のフォトダイオードにより光信号から電気信号に変換した高画質画像データを、前記デジタルビデオインタフェースコネクタ側に伝送するドライバインタフェース集積回路と、一端が前記光コネクタと結合し他端が前記複数個のピンダイオードと結合した複数本の光ファイバとを備えたことを特徴とする光デジタルインタフェース。
【請求項２】
送信側インタフェースユニットと受信側インタフェースユニットとを光ケーブルを用いて接続したものであって、
前記送信側インタフェースユニットは、データソースに接続されるデジタルビデオインタフェースコネクタと、光ケーブルの接続端を脱着可能に保持するアダプタを有し、かつ、前記デジタルビデオインタフェースコネクタから入力した高画質画像データを使用して、複数個の面発光レーザを駆動するドライバインタフェース集積回路と、一端が前記複数個の面発光レーザと結合し他端が前記光コネクタと結合する複数本の光ファイバとを備えたことを特徴とする光デジタルインタフェース。
【請求項３】
送信側インタフェースユニットと受信側インタフェースユニットとを光ケーブルを用いて接続したものであって、
前記受信側インタフェースユニットは、前記光ケーブルの接続端を脱着可能に保持するアダプタと、任意の映像機器に接続されるデジタルビデオインタフェースコネクタとを有し、かつ、複数個のフォトダイオードにより光信号から電気信号に変換した高画質画像データを、前記デジタルビデオインタフェースコネクタ側に伝送するドライバインタフェース集積回路と、一端が前記光コネクタと結合し他端が前記複数個のフォトダイオードと結合した複数本の光ファイバとを備えたことを特徴とする光デジタルインタフェース。
【請求項４】
請求項１乃至３のいずれかに記載の光デジタルインタフェースにおいて、
前記光ケーブルは、光ファイバ芯が複数本並行に配列されたもので、当該光ファイバ芯の端部を前記光コネクタ内部で終端させており、前記複数本の光ファイバの端部は、前記光コネクタ内部で、前記光ファイバ芯の端部に対向させるように配列固定されていることを特徴とする光デジタルインタフェース。
【請求項５】
請求項１または２に記載の光デジタルインタフェースにおいて、
前記複数本の光ファイバの端部には単芯用の光コネクタが固定され、前記面発光レーザはハウジングの一方の壁面に設けた貫通孔に差し込まれて固定され、前記単芯用の小型光コネクタはハウジングの他方の面から前記貫通孔に差し込まれて固定されたことを特徴とする光デジタルインタフェース。
【請求項６】
請求項１または３に記載の光デジタルインタフェースにおいて、
前記複数本の光ファイバの端部には単芯用の光コネクタが固定され、前記フォトダイオードはハウジングの一方の壁面に設けた貫通孔に差し込まれて固定され、前記単芯用の小型光コネクタはハウジングの他方の面から前記貫通孔に差し込まれて固定されたことを特徴とする光デジタルインタフェース。
【請求項７】
送信側インタフェースユニットと受信側インタフェースユニットとを光ケーブルを用いて接続したものであって、
前記送信側インタフェースユニットは、データソースに接続されるデジタルビデオインタフェースコネクタと、光ケーブルの接続端を脱着可能に保持するアダプタを有し、かつ、前記デジタルビデオインタフェースコネクタから入力した高画質画像データを使用して、複数個の発光ダイオードを駆動するドライバインタフェース集積回路と、一端が前記複数個の面発光レーザと結合し他端が前記光コネクタと結合する複数本の光導波路を有する基板コネクタを備え、
前記受信側インタフェースユニットは、前記光ケーブルの接続端を脱着可能に保持するアダプタと、任意の映像機器に接続されるデジタルビデオインタフェースコネクタとを有し、かつ、複数個のフォトダイオードにより光信号から電気信号に変換した高画質画像データを、前記デジタルビデオインタフェースコネクタ側に伝送するドライバインタフェース集積回路と、一端が前記光コネクタと結合し他端が前記複数個のフォトダイオードと結合する複数本の光導波路を有する基板コネクタを備えたことを特徴とする光デジタルインタフェース。
【請求項８】
送信側インタフェースユニットと受信側インタフェースユニットとを光ケーブルを用いて接続したものであって、
前記送信側インタフェースユニットは、データソースに接続されるデジタルビデオインタフェースコネクタと、光ケーブルの接続端を脱着可能に保持するアダプタを有し、かつ、前記デジタルビデオインタフェースコネクタから入力した高画質画像データを使用して、複数個の面発光レーザを駆動するドライバインタフェース集積回路と、前記アダプタ端に固定され、一端が前記複数個の面発光レーザと結合し他端が前記光コネクタと結合する複数本の光導波路を有する基板コネクタを設けたことを特徴とする光デジタルインタフェース。
【請求項９】
送信側インタフェースユニットと受信側インタフェースユニットとを光ケーブルを用いて接続したものであって、
前記受信側インタフェースユニットは、前記光ケーブルの接続端を脱着可能に保持するアダプタと、任意の映像機器に接続されるデジタルビデオインタフェースコネクタとを有し、かつ、複数個のフォトダイオードにより光信号から電気信号に変換した高画質画像データを、前記デジタルビデオインタフェースコネクタ側に伝送するドライバインタフェース集積回路と、一端が前記光コネクタと結合し他端が前記複数個のフォトダイオードと結合する複数本の光導波路を有する基板コネクタを設けたことを特徴とする光デジタルインタフェース。
【発明の詳細な説明】
【技術分野】
【０００１】
本発明は高精細画像を表示するための画像信号の伝送等に適する光デジタルインタフェースに関する。
【背景技術】
【０００２】
ＤＶＤプレイヤーやコンピュータの出力する高精細画像を表示するために、大画面のテレビジョンディスプレイが使用される。このデータ伝送用には、光デジタルインタフェースケーブルが使用される。このケーブルは、画像信号伝送用の光ケーブルと、制御信号伝送用のメタルケーブルを含む。信号伝送には光ケーブルを使用する。機器と接続される端末部分には、光信号を電気信号に変換する回路がコネクタと一体化されている(特許文献１参照)。
【特許文献１】特開２００４−２４１３６１号公報
【発明の開示】
【発明が解決しようとする課題】
【０００３】
ここで、従来の技術には、次のような解決すべき課題があった。
図７は、従来の光デジタルインタフェースを示す平面図である。
図示の光デジタルインタフェースは、送信側インタフェースユニット７１と受信側インタフェースユニット８１とを光ケーブル７９を用いて接続したものである。送信側インタフェースユニット７１の本体ケースの一方の壁面には、ＤＶＩ（デジタルビデオインタフェース）コネクタ７２が固定されている。このＤＶＩコネクタは、図示しないデータソースに接続される。このデータソースから高画質画像データが供給される。送信側インタフェースユニット７１の本体ケースの他方の壁面には、ブッシング７６が固定されている。
【０００４】
光ケーブル７９は、ブッシング７６を貫通して送信側インタフェースユニット７１の内部に一端が収容されている。この光ケーブル７９から、４本の光ファイバ７７が引き出されている。送信側インタフェースユニット７１の本体ケース内部には、ドライバインタフェース集積回路７３が固定されている。その隣にハウジング７５が配置されている。ハウジング７５の上には、４個の発光ダイオード７４と光ファイバ７７の端末が互いに光軸を合わせるように配置されている。ドライバインタフェース集積回路７３は、４個の発光ダイオード７４を駆動する。その出力光は４本の光ファイバ７７を通じて受信側インタフェースユニット８１に伝送される。
【０００５】
受信側インタフェースユニット８１の本体ケース壁面には、ＤＶＩコネクタ８２とブッシング８６が固定されている。光ケーブル７９の他端は、ブッシング８６を貫通して受信側インタフェース内部に収容されている。光ケーブル７９を構成する４本の光ファイバ７７は、ハウジング８５の上に固定されている。光ファイバ７７の端末とフォトダイオード８４とは、ハウジング８５の上で突合せ接続されている。フォトダイオード８４は、光信号を電気信号に変換する。この出力は、ドライバインタフェース集積回路８３に入力される。ドライバインタフェース集積回路８３の出力は、ＤＶＩコネクタ８２を介して図示しない映像機器などに接続される。
【０００６】
このような光デジタルインタフェースは、光ケーブル７９の両端に送信側インタフェースユニット７１と受信側インタフェースユニット８１とが一体に接続されているから、建物の壁に設けられた小さな貫通孔を通して配線することができない。現場組み立てには時間がかかり、高度な技術が必要になるという課題もあった。また、予め両端にコネクタを予め取り付けてしまうため、光ケーブル７９の長さも限定され、光ケーブル７９の余長の処理が煩わしいという課題があった。
本発明は以上の課題を解決する光デジタルインタフェースを提供することを目的とする。
【課題を解決するための手段】
【０００７】
本発明の各実施例においては、それぞれ次のような構成により上記の課題を解決する。
〈構成１〉
送信側インタフェースユニットと受信側インタフェースユニットとを光ケーブルを用いて接続したものであって、上記送信側インタフェースユニットは、データソースに接続されるデジタルビデオインタフェースコネクタと、光ケーブルの接続端を脱着可能に保持するアダプタを有し、かつ、上記デジタルビデオインタフェースコネクタから入力した高画質画像データを使用して、複数個の面発光レーザを駆動するドライバインタフェース集積回路と、一端が上記複数個の面発光レーザと結合し他端が上記光コネクタと結合する複数本の光ファイバとを備え、上記受信側インタフェースユニットは、上記光ケーブルの接続端を脱着可能に保持するアダプタと、任意の映像機器に接続されるデジタルビデオインタフェースコネクタとを有し、かつ、複数個のフォトダイオードにより光信号から電気信号に変換した高画質画像データを、上記デジタルビデオインタフェースコネクタ側に伝送するドライバインタフェース集積回路と、一端が上記光コネクタと結合し他端が上記複数個のピンダイオードと結合した複数本の光ファイバとを備えたことを特徴とする光デジタルインタフェース。
【０００８】
〈構成２〉
送信側インタフェースユニットと受信側インタフェースユニットとを光ケーブルを用いて接続したものであって、上記送信側インタフェースユニットは、データソースに接続されるデジタルビデオインタフェースコネクタと、光ケーブルの接続端を脱着可能に保持するアダプタを有し、かつ、上記デジタルビデオインタフェースコネクタから入力した高画質画像データを使用して、複数個の面発光レーザを駆動するドライバインタフェース集積回路と、一端が上記複数個の面発光レーザと結合し他端が上記光コネクタと結合する複数本の光ファイバとを備えたことを特徴とする光デジタルインタフェース。
【０００９】
〈構成３〉
送信側インタフェースユニットと受信側インタフェースユニットとを光ケーブルを用いて接続したものであって、上記受信側インタフェースユニットは、上記光ケーブルの接続端を脱着可能に保持するアダプタと、任意の映像機器に接続されるデジタルビデオインタフェースコネクタとを有し、かつ、複数個のフォトダイオードにより光信号から電気信号に変換した高画質画像データを、上記デジタルビデオインタフェースコネクタ側に伝送するドライバインタフェース集積回路と、一端が上記光コネクタと結合し他端が上記複数個のフォトダイオードと結合した複数本の光ファイバとを備えたことを特徴とする光デジタルインタフェース。
【００１０】
〈構成４〉
構成１乃至３のいずれかに記載の光デジタルインタフェースにおいて、上記光ケーブルは、光ファイバ芯が複数本並行に配列されたもので、当該光ファイバ芯の端部を上記光コネクタ内部で終端させており、上記複数本の光ファイバの端部は、上記光コネクタ内部で、上記光ファイバ芯の端部に対向させるように配列固定されていることを特徴とする光デジタルインタフェース。
【００１１】
〈構成５〉
構成１または２に記載の光デジタルインタフェースにおいて、上記複数本の光ファイバの端部には単芯用の光コネクタが固定され、上記面発光レーザはハウジングの一方の壁面に設けた貫通孔に差し込まれて固定され、上記単芯用の小型光コネクタはハウジングの他方の面から上記貫通孔に差し込まれて固定されたことを特徴とする光デジタルインタフェース。
【００１２】
〈構成６〉
構成１または３に記載の光デジタルインタフェースにおいて、上記複数本の光ファイバの端部には単芯用の光コネクタが固定され、上記フォトダイオードはハウジングの一方の壁面に設けた貫通孔に差し込まれて固定され、上記単芯用の小型光コネクタはハウジングの他方の面から上記貫通孔に差し込まれて固定されたことを特徴とする光デジタルインタフェース。
【００１３】
〈構成７〉
送信側インタフェースユニットと受信側インタフェースユニットとを光ケーブルを用いて接続したものであって、上記送信側インタフェースユニットは、データソースに接続されるデジタルビデオインタフェースコネクタと、光ケーブルの接続端を脱着可能に保持するアダプタを有し、かつ、上記デジタルビデオインタフェースコネクタから入力した高画質画像データを使用して、複数個の面発光レーザを駆動するドライバインタフェース集積回路と、一端が上記複数個の面発光レーザと結合し他端が上記光コネクタと結合する複数本の光導波路を有する基板コネクタを備え、上記受信側インタフェースユニットは、上記光ケーブルの接続端を脱着可能に保持するアダプタと、任意の映像機器に接続されるデジタルビデオインタフェースコネクタとを有し、かつ、複数個のフォトダイオードにより光信号から電気信号に変換した高画質画像データを、上記デジタルビデオインタフェースコネクタ側に伝送するドライバインタフェース集積回路と、一端が上記光コネクタと結合し他端が上記複数個のフォトダイオードと結合する複数本の光導波路を有する基板コネクタを備えたことを特徴とする光デジタルインタフェース。
【００１４】
〈構成８〉
送信側インタフェースユニットと受信側インタフェースユニットとを光ケーブルを用いて接続したものであって、上記送信側インタフェースユニットは、データソースに接続されるデジタルビデオインタフェースコネクタと、光ケーブルの接続端を脱着可能に保持するアダプタを有し、かつ、上記デジタルビデオインタフェースコネクタから入力した高画質画像データを使用して、複数個の面発光レーザ発を駆動するドライバインタフェース集積回路と、上記アダプタ端に固定され、一端が上記複数個の面発光レーザと結合し他端が上記光コネクタと結合する複数本の光導波路を有する基板コネクタを設けたことを特徴とする光デジタルインタフェース。
【００１５】
〈構成９〉
送信側インタフェースユニットと受信側インタフェースユニットとを光ケーブルを用いて接続したものであって、上記受信側インタフェースユニットは、上記光ケーブルの接続端を脱着可能に保持するアダプタと、任意の映像機器に接続されるデジタルビデオインタフェースコネクタとを有し、かつ、複数個のフォトダイオードにより光信号から電気信号に変換した高画質画像データを、上記デジタルビデオインタフェースコネクタ側に伝送するドライバインタフェース集積回路と、一端が上記光コネクタと結合し他端が上記複数個のピンダイオードと結合する複数本の光導波路を有する基板コネクタを設けたことを特徴とする光デジタルインタフェース。
【発明を実施するための最良の形態】
【００１６】
以下、本発明の実施の形態を実施例ごとに詳細に説明する。
【実施例１】
【００１７】
図１は、実施例１の光デジタルインタフェースを示す平面図である。
図示の光デジタルインタフェースは、送信側インタフェースユニット１と受信側インタフェースユニット１１とを光ケーブル９を用いて接続したものである。送信側インタフェースユニット１の本体ケースの一方の壁面には、ＤＶＩ（デジタルビデオインタフェース）コネクタ２が固定されている。このＤＶＩコネクタ２は、図示しないデータソースに接続される。このデータソースから高画質画像データが供給される。送信側インタフェースユニット１の本体ケースの他方の壁面には、ＭＰＯアダプタ１０が接続されている。ＭＰＯアダプタとは、ＪＩＳＦ１３で規格化された、既知の光コネクタ接続用部材であって、テープ状の光ケーブル９の接続端を脱着可能に保持する機能を持つ。
【００１８】
送信側インタフェースユニット１の本体ケース内部には、ドライバインタフェース集積回路３が固定されている。その隣にハウジング５が配置されている。ハウジング５の上には、４個の面発光レーザ４と小型光コネクタ６が互いに光軸を合わせるように配置されている。ドライバインタフェース集積回路３は、ＤＶＩコネクタ２から入力した高画質画像データを使用して、４個面発光レーザ４を駆動する。４個の小型光コネクタ６は、それぞれ４本の光ファイバ７の一端に接続されている。４本の光ファイバ７は、いずれもＭＴ型光コネクタ８の内部で終端とされている。各光ファイバ端はＭＴ型光コネクタ８内でＶ溝などに配列され固定されている。ＭＴ型光コネクタとは、ＭＴフェルールを使用した多芯テープ光ファイバ用の規格化されたコネクタである。ＭＴ型光コネクタ８とＭＰＯアダプタ１０により、４本の光ファイバ７と光ケーブル９とが光結合する。その構成は図３で説明する。
【００１９】
ＭＴ型光コネクタ８にはＭＰＯアダプタ１０が接続されている。光ケーブル９は、ＭＰＯアダプタ１０と２０とを介して、送信側インタフェースユニット１と受信側インタフェースユニット１１とを接続する。なお、送信側インタフェースユニット１と受信側インタフェースユニット１１の基板の配線は煩雑になるため図示を省略した。
【００２０】
受信側インタフェースユニット１１の本体ケース壁面には、ＤＶＩコネクタ１２とＭＴ型光コネクタ１８が固定されている。ＭＴ型光コネクタ１８にはＭＰＯアダプタ２０が接続されている。ＭＴ型光コネクタ１８の内部で、４本の光ファイバ１７が終端している。各光ファイバ端はＭＴ型光コネクタ１８内でＶ溝などに配列され固定されている。ここで、光ケーブル９と４本の光ファイバ１７とが光結合する。ＭＴ型光コネクタ１８から引き出された４本の光ファイバ１７には、その端末に小型光コネクタ１６が接続されている。小型光コネクタ１６とフォトダイオード１４とは、ハウジング１５の上で突合せ接続されている。ピンダイオード１４は、光信号を電気信号に変換する。この出力は、ドライバインタフェース集積回路１３に入力する。ドライバインタフェース集積回路１３の出力は、ＤＶＩコネクタ１２を介して図示しない映像機器などに接続される。
【００２１】
図２は、光デジタルインタフェースを用いたシステムの全体図を示す概略図である。
同図において、メディアレシーバ３０は、様々な映像コンテンツを受信して出力する装置で、例えば、テレビ受信機やＤＶＤレコーダなどである。内蔵するハードディスクにコンテンツを記憶させるようにすることもできる。このメディアレシーバ３０から高画質の画像データが伝送されて、プラズマパネル４７に表示される。この目的のために、メディアレシーバ３０にＭＤＲケーブル３１とＤＶＩケーブル３２を接続する。ＭＤＲ（ミニチュアデルタリボン）ケーブル３１は、制御信号を伝送するためのメタルケーブルである。ＤＶＩケーブル３２は、画像信号を伝送するための光ケーブルである。これらのケーブルの他端はいずれも変換ボックス３３に接続される。変換ボックス３３は、ＡＣアダプタ３４から電力を供給されて動作する。
【００２２】
変換ボックス３３は、変換ボックス４３と光ケーブル３７により接続される。これにより、高画質画像データが数１０メートルの間伝送される。変換ボックス４３とプラズマパネル４７とは、ＭＤＲケーブル４１とＤＶＩケーブル４２により接続される。変換ボックス４３は、ＡＣアダプタ４４から電力を供給されて動作する。このような構成のシステムにおいて、変換ボックス３３の内部の、ＤＶＩケーブル３２から高画質の画像データを受け入れて光信号に変換し、光ケーブル３７を通じて出力をする部分が、図１に示した送信側インタフェースユニット１に相当する。また、光ケーブル３７から光信号を受け入れて電気信号に変換し、ＤＶＩケーブル４２を通じて高画質画像データを出力する部分が、図１に示した受信側インタフェースユニット１１に相当する。
【００２３】
メタルケーブルでは、ＤＶＩ規格のデジタル画像データを５メートル程度までしか伝送できない。しかしながら、光ケーブルを使用すると最大１キロメートル程度まで、伝送が可能である。このような光デジタルインタフェースで、光ケーブルの両端に取り付けたインタフェースユニットを取り外すことができないと、例えば、光ケーブルが断線したような場合でも、光デジタルインタフェース全体を交換しなければならない。図１の実施例では、ＭＰＯアダプタ部分で光ケーブル９の端末を容易に脱着できるので、当初の課題を解決できる。
【００２４】
図３は、図１に示した送信側インタフェースユニット１の内部部品を示す拡大斜視図である。
図に示すように、４個の面発光レーザ４は、ハウジング５の一方の壁面に設けた貫通孔に差し込まれて固定される。また、単芯用の小型光コネクタ６は、ハウジング５の他方の面から上記貫通孔に差し込まれて固定される。これにより小型光コネクタ６と面発光レーザ４とが光学的に結合する。即ち、発光ダイオード４の発した光が小型光コネクタ６を通じて光ファイバ７に伝送される。ＭＴ型光コネクタ８の内部では、図に示すように、基板２３の上に４本の光ファイバ７が所定間隔で配列され固定されている。光ケーブル９の接続端２４は、ＭＰＯアダプタ１０内部に保持されている。
【００２５】
光ケーブル９の接続端２４が、基板２３上に配列された光ファイバ７と結合する。即ち、光ケーブル９は、光ファイバ芯が複数本並行に配列されたもので、その光ファイバ芯の接続端をＭＰＯアダプタ１０の内部で終端させている。光ファイバ７の端部は、光ファイバ芯の接続端に対向させるように、基板２３上に配列固定されている。こうして、光ファイバ７から発せられる光が、光ケーブル９を通じて受信側インタフェースユニットに伝送される。ここで、光ケーブル９には、送信側インタフェースユニット１全体から比べると、充分に小型のＭＰＯアダプタ１０が取り付けられている。従って、従来のように受信側インタフェースユニット１と送信側インタフェースユニット１１とを光ケーブル９の両端に固定してしまった場合に比べて、細い壁の穴などを貫通させやすい。
【００２６】
また、ハウジング５上で、光ファイバ７の端末を、例えば、３ｍｍ程度の最適な間隔に保持して、面発光レーザ４と結合させることができる。従って、面発光レーザ４からハイパワーの光を出力させても、確実にアイソレーションをとることができる。こうした目的に使用する光ケーブルや光ファイバは、広帯域のものがよく、コア径が５０〜６０μｍ程度のものを使用することが好ましい。ハウジング５は樹脂製でよい。これで、４芯、８芯、１２芯といった光ケーブルを使用することができる。
【００２７】
なお、上記の光ファイバ７は４本構成としたが、その本数は任意である。面発光レーザ４の数も任意である。また、受信側は、面発光レーザ４をフォトダイオード１４に交換すればよく、その他の部分は同じ構成なので重複する説明を省略する。説明を分かり易くするため、主要部のみを図示して説明したが、光ケーブル９の接続端２４と基板２３の部分は、既知のＭＰＯアダプタに装着されるＭＰＯコネクタ構造にするとよい。ＭＰＯアダプタは突合せ接続されるＭＰＯコネクタを保持できる構造であればよい。
【実施例２】
【００２８】
図４は、実施例２の光デジタルインタフェースを示す平面図である。
図示の光デジタルインタフェースは、送信側インタフェースユニット２５と受信側インタフェースユニット２６とを光ケーブル９を用いて接続したものである。送信側インタフェースユニット２５の本体ケースの一方の壁面には、ＤＶＩコネクタ２が固定されている。送信側インタフェースユニット２５の本体ケースの他方の壁面には、ＭＰＯアダプタ１０が接続されている。送信側インタフェースユニット２５の本体ケース内部には、ドライバインタフェース集積回路３が固定されている。なお、実施例２で実施例１と同一の構成の部分は同一の符号を使用して説明する。また、実施例１と重複する部分の説明を省略する。実施例２の特徴部分は、ＭＰＯアダプタ１０に基板状コネクタ５１を介して面発光レーザアレイ５３を結合させた点にある。
【００２９】
図５は、上述した基板状コネクタ５１を示す平面図である。
図に示すように、面発光レーザアレイ５３には、４個の面発光レーザ５４が搭載されている。基板状コネクタ５１の上面には発光ダイオードアレイ５３と光結合するように、４本の光導波路５２が設けられている。４本の光導波路５２は、ＭＰＯアダプタ１０の内部で、光ケーブル９の光ファイバと光結合する。また、基板状コネクタ５１とＭＰＯアダプタ１０とは、相互に脱着可能に接続されている。なお、分解調整が不要であれば、基板状コネクタ５１とＭＰＯアダプタ１０とを分離できないように固定しても構わない。４本の光導波路５２の間隔は光ケーブル９の芯間隔と等しい、例えば、２５０μｍに設定する。
【００３０】
以上の構成の送信側インタフェースユニット２５は、実施例１と同様に、送信側インタフェースユニット２５の本体ケースと光ケーブル９のＭＰＯアダプタ１０を切り離すことができるので、光ケーブル９を狭い壁孔等に引き込むことができる。なお、図４において、受信側インタフェースユニット２６にも、同様の基板状コネクタ５６と面発光レーザアレイ５７を設けている。この機能は送信側と同様であるから重複説明は省略する。実施例２の光デジタルインタフェースは、ユニット内部に光ファイバを配置しないので、小型化できるという効果がある。特に、受信側インタフェースユニット２６では、送信側に比べてアイソレーションの問題が小さいので、受信側だけ、実施例２の構造を採用しても、非常に効果が期待できる。
【００３１】
図６は、小型光コネクタと面発光レーザやフォトダイオードとの接続構造を示す側面図である。
実施例１で使用した小型光コネクタ６は、面発光レーザ４と接続するときに、図６（ａ）に示すように、球状レンズ２８を介在させることが好ましい。これにより、低損失の光結合ができる。また、小型光コネクタ６と面発光レーザ４の間隔を一定値以下になるまで接近させると、図６（ｂ）に示すように球状レンズ２８を省略することもできる。
【００３２】
また、上記の実施例では、光ケーブルの両端にいずれも同様の構成のインタフェースユニットを設けた例を示したが、いずれか一方のインタフェースユニットのみを本発明のものとし、他方のインタフェースユニットを従来構造のものにしても構わない。光ファイバケーブルの少なくとも一方の端が光コネクタ構造になっていると、上記と同様の効果が得られる。また、工事完了後に、光ケーブルの一端を切断してその長さを調整してから光コネクタを取り付けることもできる。上記の実施例によれば、通信用の光ケーブルで標準化されている簡便な光コネクタ取り付け作業を採用できるので、最小限の現場工事を採用して、ケーブル長の最適化を図ることができる。
【図面の簡単な説明】
【００３３】
【図１】実施例１の光デジタルインタフェースを示す平面図である。
【図２】システムの全体を示す概略図である。
【図３】図１に示した送信側インタフェースユニットの内部部品を示す拡大斜視図である。
【図４】実施例２の光デジタルインタフェースを示す平面図である。
【図５】基板状コネクタ５１を示す平面図である。
【図６】小型光コネクタと面発光レーザやフォトダイオードとの接続構造を示す側面図である。
【図７】従来の光デジタルインタフェースを示す平面図である。
【符号の説明】
【００３４】
１  送信側インタフェースユニット
３  ドライバインタフェース集積回路
４  面発光レーザ
５  ハウジング
６  小型光コネクタ
７  光ファイバ
８  ＭＴ型光コネクタ
９  光ケーブル
１０  ＭＰＯアダプタ
１１  受信側インタフェースユニット
１２  ＤＶＩコネクタ
１３  ドライバインタフェース集積回路
１４  フォトダイオード
１５  ハウジング
１６  小型光コネクタ
１７  光ファイバ
１８  ＭＴ型光コネクタ
２０  ＭＰＯアダプタ
【図１】
2007178490.tif 000003
【図２】
2007178490.tif 000004
【図３】
2007178490.tif 000005
【図４】
2007178490.tif 000006
【図５】
2007178490.tif 000007
【図６】
2007178490.tif 000008
【図７】
2007178490.tif 000009